(57)【要約】【課題】用紙の送り出し性能を維持しつつ装置の薄型化を図ることができる用紙送出装置等を提供する。【解決手段】用紙送出装置は、繰出しロールを回転自在に支持した状態で送出ロールの回転軸に揺動自在に取り付けられ、繰出しロールを収容部に収容される用紙に接触させる接触位置と当該用紙から離した離間位置との間で変位させる支持部材が、送出ロールの回転軸にトルク制限付きの回転伝達部材を介して取り付けられており、収容部から送出ロールに至る手前側の位置において収容部に収容される用紙の繰出し方向先端部の位置を当該先端部との接触により規制する規制部材が、送出ロールの回転軸にトルク制限付きの回転伝達部材を介して取り付けられ、当該回転軸が用紙送り方向又はその逆の方向に回転することにより、用紙の繰出し方向先端部の位置を規制する規制位置と用紙の通過を許容する退避位置のいずれかの位置に変位して停止した状態に保たれるものである【選択図】図２
2010228848.tif 000002
【特許請求の範囲】
【請求項１】
用紙が積み重ねられた状態で収容される収容部と、
前記収容部に収容される最上の用紙を繰り出す繰出しロールと、
前記繰出しロールで繰り出される最上の用紙を送り出す送出ロールと、
前記繰出しロールを回転自在に支持した状態で前記送出ロールの回転軸に揺動自在に取り付けられ、前記繰出しロールを前記収容部に収容される用紙に接触させる接触位置と当該用紙から離した離間位置との間で変位させる支持部材と、
前記収容部から前記送出ロールに至る手前側の位置において当該収容部に収容される用紙の繰出し方向先端部の位置を当該先端部との接触により規制する規制部材を有し、
前記規制部材は、前記搬送ロールの回転軸にトルク制限付きの回転伝達部材を介して取り付けられ、当該回転軸が用紙送り方向又はその逆の方向に回転することにより、前記用紙の繰出し方向先端部の位置を規制する規制位置と用紙の通過を許容する退避位置のいずれかの位置に変位して停止した状態に保たれることを特徴とする用紙送出装置。
【請求項２】
前記繰出しロールを支持した支持部材は、その自重により揺動して前記接触位置まで下降するように取り付けられている請求項１に記載の用紙送出装置。
【請求項３】
前記トルク制限付きの回転伝達部材が、前記送出ロールの回転軸を用紙送り方向に回転させたときにトルク制限を受けて回転が伝達されなくなる設定の一方向制限型の回転伝達部材である請求項１又は２に記載の用紙送出装置。
【請求項４】
少なくとも前記収容部の一部及び前記支持部材をその上方から覆う覆い部材を有し、
前記覆い部材に、前記規制部材が前記退避位置に変位したときに接触して停止させられる停止部材を設けた請求項１又は２に記載の用紙送出装置。
【請求項５】
前記支持部材に、前記規制部材が前記退避位置に変位したときに接触して停止させられる停止部材を設けた請求項１又は２に記載の用紙送出装置。
【請求項６】
前記規制部材が、前記送出ロールの回転軸を用紙送り方向と反対の方向に所要の角度だけ回転させた後に停止させることで前記規制位置に停止した状態に保たれる請求項３に記載の用紙送出装置。
【請求項７】
前記繰出しロールが前記送出ロールの回転軸と回転伝達機構を介して接続されており、
前記送出ロールが回転軸に差動クラッチを介して取り付けられており、前記繰出しロールが前記回転伝達機構に差動クラッチを介して連結されている請求項１又は２に記載の用紙送出装置。
【請求項８】
読み取り対象の情報を有する原稿が積み重ねられた状態で収容される収容部と、
前記収容部に収容される最上の原稿を送り出す原稿送出装置と、
前記収容部の下方の位置に設置される原稿の排出部と、
前記収容部から読み取り位置を経由して前記排出部に至る、全体がＵ字形に回って折り返す形状の原稿搬送路とを有し、
前記原稿送出装置が、請求項１乃至７のいずれかに記載の用紙送出装置で構成されていることを特徴とする原稿送り装置。
【発明の詳細な説明】
【技術分野】
【０００１】
この発明は、用紙送出装置及びこれを用いた原稿送り装置に関するものである。
【背景技術】
【０００２】
例えば、複写機、スキャナ、ファクシミリ等のように原稿を読み取る原稿（画像）読取部を有する機器においては、読み取り情報が記録された文書等の原稿（用紙）を所定の収容部に積み重ねた状態で収容したうえで、原稿をその原稿読取部にむけて１枚ずつ送り出して搬送する用紙送出装置が使用されることがある。
【０００３】
このような用紙搬送装置を装備する原稿搬送装置としては、例えば、原稿トレイ上の原稿を繰り込むピックアップローラと、ピックアップローラを原稿トレイ上の原稿に対して接離可能に支持するピックアップアームと、繰り込まれた原稿を搬送路へ送り込む給紙ローラとを本体部に回動可能に設けられたカバーを備えてなる自動原稿搬送装置において、前記給紙ローラの上流側にて前記カバーに自由揺動状態に吊設されたシャッタと、前記ピックアップローラに設けられて、そのピックアップローラが待機状態のときに前記シャッタが原稿トレイに載置される原稿の先端位置を規制するように該シャッタの揺動を制止し、かつ、ピックアップローラが原稿と接触する方向へ作動することにより該シャッタの制止を解除するストッパと、待機状態の前記ピックアップローラを原稿と接触する方向へ移動させるシャッタ解除機構と、を具備する原稿搬送装置が知られている（特許文献１）。
【０００４】
また、原稿搬送装置でなく画像形成装置の用紙整合装置ではあるが、画像転写部に近接する位置に配置されたレジストローラと同軸に、用紙の先端部を係止するゲート部材をトルク制限手段を介して設け、前記ゲート部材を、レジストローラを正逆方向に駆動する動作により用紙を係止する位置と用紙搬送路から退避する位置との間で揺動可能に構成した用紙整合装置が知られている（特許文献２）。
【先行技術文献】
【特許文献】
【０００５】
【特許文献１】特開２００５−１２６２０２号公報
【特許文献２】特開平５−３３８８６５号公報
【発明の概要】
【発明が解決しようとする課題】
【０００６】
この発明は、用紙の送り出し性能を維持しつつ装置の薄型化を図ることができる用紙送出装置を提供するとともに、その用紙送出装置を適用して原稿の良好な搬送性能を維持しつつ装置の薄型化を図ることができる原稿送り装置を提供することを目的とするものである。
【課題を解決するための手段】
【０００７】
この発明（Ａ１）の用紙送出装置は、用紙が積み重ねられた状態で収容される収容部と、  前記収容部に収容される最上の用紙を繰り出す繰出しロールと、  前記繰出しロールで繰り出される最上の用紙を送り出す送出ロールと、  前記繰出しロールを回転自在に支持した状態で前記送出ロールの回転軸に揺動自在に取り付けられ、前記繰出しロールを前記収容部に収容される用紙に接触させる接触位置と当該用紙から離した離間位置との間で変位させる支持部材と、  前記収容部から前記送出ロールに至る手前側の位置において当該収容部に収容される用紙の繰出し方向先端部の位置を当該先端部との接触により規制する規制部材を有し、
前記規制部材は、前記送出ロールの回転軸にトルク制限付きの回転伝達部材を介して取り付けられ、当該回転軸が用紙送り方向又はその逆の方向に回転することにより、前記用紙の繰出し方向先端部の位置を規制する規制位置と用紙の通過を許容する退避位置のいずれかの位置に変位して停止した状態に保たれるものである。
【０００８】
この発明（Ａ２）の用紙送出装置は、上記発明Ａ１の用紙送出装置において、前記繰出しロールを支持した支持部材が、その自重により揺動して前記接触位置まで下降するように取り付けられているものである。
【０００９】
この発明（Ａ３）の用紙送出装置は、上記発明Ａ１又はＡ２の用紙送出装置において、前記トルク制限付きの回転伝達部材が、前記送出ロールの回転軸を用紙送り方向に回転させたときにトルク制限を受けて回転が伝達されなくなる設定の一方向制限型の回転伝達部材であるものである。
【００１０】
この発明（Ａ４）の用紙送出装置は、上記発明Ａ１又はＡ２の用紙送出装置において、少なくとも前記収容部の一部及び前記支持部材をその上方から覆う覆い部材を有し、  前記覆い部材に、前記規制部材が前記退避位置に変位したときに接触して停止させられる停止部材を設けたものである。
【００１１】
この発明（Ａ５）の用紙送出装置は、上記発明Ａ１又はＡ２の用紙送出装置において、  前記支持部材に、前記規制部材が前記退避位置に変位したときに接触して停止させられる停止部材を設けたものである。
【００１２】
この発明（Ａ６）の用紙送出装置は、上記発明Ａ３の用紙送出装置において、前記規制部材が、前記送出ロールの回転軸を用紙送り方向と反対の方向に所要の角度だけ回転させた後に停止させることで前記規制位置に停止した状態に保たれるものである。
【００１３】
この発明（Ａ７）の用紙送出装置は、上記発明Ａ１又はＡ２の用紙送出装置において、前記繰出しロールが前記送出ロールの回転軸と回転伝達機構を介して接続されており、  前記送出ロールが回転軸に差動クラッチを介して取り付けられており、前記繰出しロールが前記回転伝達機構に差動クラッチを介して連結されているものである。
【００１４】
また、この発明（Ｂ）の原稿送り装置は、読み取り対象の情報を有する原稿が積み重ねられた状態で収容される収容部と、  前記収容部に収容される最上の原稿を送り出す原稿送出装置と、  前記収容部の下方の位置に設置される原稿の排出部と、  前記収容部から読み取り位置を経由して前記排出部に至る、全体がＵ字形に回って折り返す形状の原稿搬送路とを有し、  前記原稿送出装置が、上記発明Ａ１からＡ５までのいずれかの用紙送出装置で構成されているものである。
【発明の効果】
【００１５】
上記発明Ａ１の用紙送出装置によれば、その発明の構成を有していない場合に比べて、用紙の送り出し性能を維持しつつ装置の薄型化を図ることができる。
【００１６】
上記発明Ａ２の用紙送出装置では、その発明の構成を有していない場合に比べて、装置の小型化をより一層図ることができる。
【００１７】
上記発明Ａ３の用紙送出装置では、その発明の構成を有していない場合に比べて、規制部材の駆動機構が大型化することなく簡易化される。
【００１８】
上記発明Ａ４の用紙送出装置では、その発明の構成を有していない場合に比べて、停止部材のための新たな設置空間を確保する必要がなく、装置の薄型化に有利となる。
【００１９】
上記発明Ａ５の用紙送出装置では、その発明の構成を有していない場合に比べて、用紙の送り出し性能をより良好に維持しつつ装置の薄型化を図ることができる。
【００２０】
上記発明Ａ６の用紙送出装置では、その発明の構成を有していない場合に比べて、規制部材を規制位置に停止させるための構成部品を新たに追加する必要もなく、装置の薄型化を図ることができる。
【００２１】
上記発明Ａ７の用紙送出装置では、その発明の構成を有していない場合に比べて、送出ロールの回転軸が回転し始めたときに規制部材が繰出しロールの回転し始めるときよりも先に退避位置に変位し始め、用紙の繰り出しが規制部材の存在により阻害されるおそれがない。
【００２２】
上記発明Ｂの原稿送り装置によれば、その発明の構成を有していない場合に比べて、原稿の良好な搬送性能を維持しつつ装置の薄型化を図ることができる。
【図面の簡単な説明】
【００２３】
【図１】実施の形態等に係る用紙送出装置を適用した原稿送り装置（原稿読取装置の一部を含む）の全体構成を示す一部断面説明図である。
【図２】図１の原稿送り装置の要部（主に用紙送出装置）を示す断面説明図である。
【図３】図１（図２）の用紙送出装置の要部（規制位置に変位しているシャッタなど）を拡大して示す斜視図である。
【図４】図１（図２）の用紙送出装置の要部とその周辺部を拡大して示す上面図である。
【図５】図３の用紙送出装置の一部であるシャッタを示す斜視図である。
【図６】用紙送出装置における原稿の送出前の状態（シャッタが規制位置に変位し停止している状態など）を一部断面にして示す説明図である。
【図７】用紙送出装置における原稿の送出時の状態（シャッタが退避位置に変位し停止している状態など）を一部断面にして示す説明図である。
【図８】図１（図２）の用紙送出装置の要部（退避位置に変位しているシャッタなど）を拡大して示す斜視図である。
【図９】差動クラッチの切断時の状態を示す断面説明図である。
【図１０】差動クラッチの連結時の状態を示す断面説明図である。
【図１１】用紙送出装置の他の構成例（シャッタの停止部材、シャッタの規制位置にある状態）を拡大して示す斜視図である。
【図１２】図１１の用紙送出装置を示す断面説明図である。
【図１３】図１１の用紙送出装置の状態（シャッタが停止位置にある状態）を拡大して示す斜視図である。
【図１４】図１３の用紙送出装置を示す断面説明図である。
【発明を実施するための形態】
【００２４】
以下、この発明を実施するための形態（以下、単に「実施の形態」という）について添付の図面を参照しながら説明する。
【００２５】
［実施の形態］
図１〜図３は、実施の形態に係る用紙送出装置を適用した自動原稿送り装置（原稿読取装置の一部を含む）を示すものである。図１はその自動原稿送り装置の全体構成を一部断面で示し、図２はその原稿送り装置の要部（主に用紙送出装置）を示し、図３はその用紙送出装置の要部を拡大して示している。
【００２６】
原稿送り装置５は、用紙などのシート状物に読み取り対象の情報が記録されている原稿９を原稿読取装置８の読取部８１に搬送するものであり、その全体が原稿読取装置８の上面部背面側（図１の紙面奥側）において蝶番を介して矢印Ａ１，Ａ２で示す方向に開閉操作できるように取り付けられている。
【００２７】
原稿送り装置５は、ほぼ板状の基礎フレーム１０に対して、原稿９を収容する収容トレイ２０と、収容トレイ２０から原稿９を送り出す送出部２１と、読み取り後の原稿９が排出されて収容される排出部２５と、収容トレイ２０から原稿読取部（読取位置）８１を経由して排出部２５に至る原稿搬送路５０とを設けている。図１等において符号１２は、基礎フレーム１０の一端部（図１等に左側端部）に蝶番を介して矢印Ｂ１，Ｂ２で示す方向に開閉操作できるように取り付けた外装カバーを示す。
【００２８】
図１においては、原稿読取装置８の上面部の一部を示しているが、その筐体フレーム８０の上面部の一部には、図示しない固定型の読取手段（照明機器、ライン型の撮像素子などで構成される）の読取面（無色透明板）８２が設けられている。また、その筐体フレーム８０の上面部の他の部分には、図示しない走査型の読取手段（照明機器、ライン型の撮像素子、光学走査型撮像装置などで構成される）の読取及び原稿載せ用の面（無色透明板）８３が設置されている。
【００２９】
収容トレイ２０は、１枚又は複数枚の原稿９を積み重ねた状態で載せて収容する収容面２２が形成された板状の部材で形成されたものである。この収容トレイ２０は、支持フレーム１０における水平方向に対してトレイ後端部２０ａが相対的に高い位置となるように傾斜した状態で取り付けられている。また、収容トレイ２０の前端部２０ｂが用紙送出装置１の繰出しロール（３０）の下面部と対向する位置まで延長された状態で設けられている。
【００３０】
排出部２５は、収容トレイ２０の下方の位置にほぼ平らな面形状で形成される部分であり、基礎フレーム１０の上面部の一部領域を利用して形成されている。
【００３１】
送出部２１は、基礎フレーム１０のうち収容トレイ２０及び排出部２５が配置されている片側領域と反対側の領域（図１中の左側の領域）に配置されており、原稿送出装置としての用紙送出装置１により構成されている。
【００３２】
用紙送出装置１は、収容トレイ２０に収容されている最上の原稿（最上位にある原稿）９を繰り出すピックアップロール３０と、ピックアップロール３０で繰り出される最上の原稿９を収容トレイ２０から送り出す送出ロール３５と、送出ロール３５と接触するパッド部材３８と、ピックアップロール３０を回転自在に支持した状態で送出ロール３５の回転軸３６に揺動自在に取り付けられた支持フレーム４０と、送出ロール３５の回転軸３６の回転を繰出しロール３０に伝達する歯車伝達機構４５とを主に有している。
【００３３】
このうち送出ロール３５は、図３、図４等に示すように、ピックアップロール３０よりも原稿繰出し方向Ｓの下流側に所要の距離をあけた位置において、その原稿繰出し方向Ｓとほぼ直交する方向にそった状態で設置される回転軸３６のほぼ中央部に（回転自在に）取り付けられている。回転軸３６は、基礎フレーム１０に回転自在に支持されているとともに、図示しないモータ、駆動伝達機構等で構成される回転駆動装置からの動力を得て原稿送り方向及びその逆の方向に回転駆動するように構成されている。
【００３４】
パッド部材３８は、搬送ロール３５に所要の圧力下で接触して接触部を形成し、その接触部の手前においてピックアップロール３０で繰り出される原稿９のうち重なった状態で送られた分（重送された分）の原稿（下方側に存在する原稿）を停止させて分離する重送防止用のパッド（分離用パッド）である。
【００３５】
支持フレーム４０は、その固定側端部４０ａが送出ロール３５の回転軸３６に対して揺動するように取り付けられており、回転軸３６を支点として、収容トレイの前端部２０ｂの収容面２２に対して接近する方向及び離間する方向に相当する矢印Ｃ１，Ｃ２で示す方向に揺動する。
【００３６】
また、支持フレーム４０は、ピックアップロール３０を支持した状態で、その自重により矢印Ｃ１で示す方向に揺動する。これにより、支持フレーム４０は、外力を与えないかぎり、その自由端部４０ｂに回転自在に支持したピックアップロール３０を収容トレイ２０に収容される最上の原稿９の上面（又は収容トレイの前端部２０ｂの収容面２２）に接触させる接触位置に変位させることができる。一方、支持フレーム４０は、外力を与えることにより、矢印Ｃ２で示す方向に揺動し、これにより、その自由端部４０ｂに回転自在に支持したピックアップロール３０を上記した最上の原稿９の上面から離した離間位置に変位させることができる。
【００３７】
この用紙送出装置１においては、原稿９の送出実行時及びその非送出時のいずれのときでも、支持フレーム４０が自重により矢印Ｃ１の方向に揺動する状態になっている。これにより、ピックアップロール３０が常時その接触位置の方に変位する状態に保たれている（図２、図５等を参照）。
【００３８】
さらに、支持フレーム４０には、図４に示すように、送出ロール３５の回転軸３６の回転を繰出しロール３０に伝達する歯車伝達機構４５が設置されている。その伝達機構４５は、回転軸３６に固定された第一歯車４６と、ピックアップロール３０の回転軸３１に固定された第二歯車４７と、第一歯車４６及び第二歯車４７の双方に噛み合って回転する中継歯車４８とで構成されている。この歯車伝達機構４５は、送出ロール３５とピックアップロール３０が異なる又は同じ速度（周速）で回転するように所要の回転伝達量が設定されている。
【００３９】
ピックアップロール３０は、上記したように支持フレーム４０が自重により矢印Ｃ１で示す方向に揺動する状態になっていることで、収容トレイ２０の収容面２２に収容された最上の原稿９の上面に所要の荷重でもって接触する。また、回転軸３６の回転動力が歯車伝達機構４５を介して伝達されて原稿送り方向に回転することにより、原稿９を繰り出し先（搬送ロール３５とパッド部材３８の間の接触部）にむけて繰り出す。
【００４０】
原稿搬送路５０は、その全体がＵ字形に回って折り返すような形状（いわゆるＵターン形状）の搬送路であり、送出部２１と読取位置８１の間を接続する第一搬送路５１と、読取部８１と排出部２５の間を接続する第二搬送路５２とで構成されている。
【００４１】
このうち第一搬送路５１は、送出部２１と読取部８１の間でほぼ湾曲（面）形状の通路として形成されており、その通路の空間を形成する（ほぼ上下）一対の通路形成部材５３，５４と、その通路途上で読取部８１から所定の距離だけ手前側となる位置に設置される搬送時期調整ロール対５５（駆動ロール５５ａと従動ロール５５ｂ）とで構成されている。読取部８１の上面には、原稿９をその読取面に誘導するとともにその読取面に対して軽く押さえつけた状態で通過させる搬送誘導押さえ板８４が設置されている。上部側の通路形成部材５３は、外装カバー１２の内面に取り付けられている。下部側の通路形成部材５４と搬送時期調整ロール対５５は、基礎フレーム１０の側に固定して設置されている。搬送時期調整ロール対５５は、第一搬送路５１を通して搬送される原稿９を一端停止させた後、読取部８１における読み取りタイミングに合わせて読取部８１にむけて送り出すように搬送する。ちなみに、ロール対５５については、単なる用紙搬送ロールとして構成することも可能である。
【００４２】
また、第二搬送路５２は、読取部８１と排出部２５の間でほぼ直線（平面）形状の通路として形成されており、その通路の空間を形成する（上下）一対の通路形成部材５６，５７と、その終端部の排出口５８の位置に設置される排出ロール対５９（駆動ロール５９ａと従動ロール５９ｂ）とで構成されている。一対の通路形成部材５６，５７と排出ロール対５９は、基礎フレーム１０の側に固定して設置されている。搬送時期調整ロール対５５の駆動ロール５５ａと排出ロール対５９の駆動ロール５９ａは、基礎フレーム１０に設置されている図示しない回転駆動装置からの動力を得て原稿送り方向に回転する。
【００４３】
そして、この原稿送り装置５における用紙送出装置１においては、収容トレイ２０から送出ロール３６に至る手前側の位置において収容トレイ２０に収容される原稿９の繰出し方向Ｓ下流側となる先端部９ａの収容位置を規制するシャッタ６０を、以下のように取り付けている。
【００４４】
まず、シャッタ６０は、図２から図４等に示すように、送出ロール３５の回転軸３６にトルクリミッタ７０を介して取り付けられている。また、シャッタ６０は、その回転軸３６が原稿送り方向又はその逆の方向に回転することにより、回転軸３６を支点として矢印Ｄ１，Ｄ２で示す方向に揺動し、原稿の繰出し方向先端部９ａの位置を規制する規制位置と原稿の通過を許容する退避位置のいずれかの位置に変位して停止した状態に保たれるように構成されている。
【００４５】
シャッタ６０は、図２から図４等に示すように、回転軸３６に対して回動自在に取り付けられ取付け孔６１ａが形成された円筒状の取付け部６１と、その取付け部６１から突出した状態で形成される板状の規制作用部６２とを有する形状になっている。規制作用部６２は、規制対象の原稿の先端部９ａと接触して制止し得る接触面６２ａを有する形成であるとともに、その接触面６２ａが制止位置に存在するときに回転軸３６よりも原稿繰出し方向Ｓの上流側の位置に存在することができる形成に形成されている。
【００４６】
また、シャッタ６０は、図２等に示すように、回転軸３６を支点として揺動するときにその制止作用部６２の先端部が描く円軌道（図２等に示す一点鎖線）で囲まれる空間領域を移動することになるため、その移動を可能にする揺動空間Ｊを有する揺動用凹部６５を形成している。揺動用凹部６５は、回転軸３６の下方に存在する原稿搬送路５０の第一搬送路５１を構成する下部側の通路形成部材５４の一部がシャッタ６０の揺動移動の障害になることから、その通路形成部材５４の一部に陥没させたような形態の構造物として形成している。揺動用凹部６５の繰出し方向Ｓの上流側の面６５ａは、例えば、シャッタ６０を規制位置で接触させて停止させるための規制側の停止面として形成することも可能である。
【００４７】
この実施の形態では、回転軸３６を原稿送り方向とは逆の方向に回転させることにより、シャッタ６０を制止位置に変位させて停止した状態にするよう設定しており、具体的には、その回転軸３６を原稿送り方向と反対の方向に退避位置から所要の角度だけ回転させた後に停止させることで実施している。これは、回転軸３６の所要の角度だけ回転させるためには、例えば駆動装置におけるモータの回転駆動時間などを制御する。
【００４８】
また、この実施の形態では、回転軸３６を原稿送り方向に回転させることにより、シャッタ６０を退避位置に変位させて停止した状態にするよう設定しており、具体的には、トルクリミッタ７０として後述する一方向制限型のトルクリミッタを使用するとともに、外装カバー１２の内面側にシャッタ６０の制止作用部６２が接触して停止させられる接触停止面部７５を設けることで実施している。
【００４９】
一方向制限型のトルクリミッタは、回転軸３６が原稿送り方向に回転した際、シャッタ６０の状態（主に後述する停止部材に接触した停止状態）により回転軸３６に対して規定値以上のトルクが発生すると、所望の負荷がかけられた状態で回転軸３６の回転の伝達を空転により遮断するタイプのトルクリミッタである。送出ロール３５は、回転軸３６に対しては回動自在に取り付けられており、後述する差動クラッチを介して回転軸３６の動力が伝達されるようになっている。図３、図４等において符号７１はコイルスプリング部材、符号７２は連結機能部材である。
【００５０】
接触停止面部７５は、シャッタ６０が退避位置に停止したときに、その制止作用部６２が原稿９の通過の障害にならない姿勢に保持できる位置及び形状で形成される。また、接触制止面部７５は、外装カバー１２の形成材料とは別の材料を使用して形成することも可能であるが、外装カバー１２の形成材料と同じ材料を使用して一体的に形成してもよい。
また、用紙搬送装置１においては、図４、図９及び図１０に示すように、送出ロール３５が回転軸３６に第一差動クラッチ８０を介して取り付けられており、また、繰出しロール３０が歯車伝達機構４５に第二差動クラッチ８５を介して連結されている。
【００５１】
第一差動クラッチ８０は、回転軸３６に固定されている歯車伝達機構４５の第一歯車４６の送出ロール３５と対向する部分にその周方向の一部に存在する状態で設ける駆動突起８１と、送出ロール３５の第一歯車４６と対向する端部に駆動突起８１と接触する状態で周方向の一部に存在する状態で設ける被駆動突起８２とで構成されている。この第一差動クラッチ８０の介在により、送出ロール３５は、その被駆動突起８２に第一歯車４６の駆動突起８１が突き当たった状態になることで回転が伝達されるが、互いに離れている状態では回転が伝達されないようになっている（図９、図１０参照）。
【００５２】
また、第二差動クラッチ８５は、歯車伝達機構４５の第二歯車４７の繰出しロール３０と対向する部分に周方向の一部に存在する状態で設ける駆動突起８６と、繰出しロール３０の第二歯車４７と対向する端部に駆動突起８６と接触する状態でその周方向の一部に存在する状態で設ける被駆動突起８７とで構成されている。この第二差動クラッチ８５を設ける関係で、第二歯車４７は繰出しロールの回転軸３１に回動自在に取り付けられているのに対し、繰出しロール３０は回転軸３１に対して固定して取り付けられている。この第二差動クラッチ８５の介在により、繰出しロール３０は、その被駆動突起８７に第二歯車４７の駆動突起８６が突き当たった状態になることで回転が伝達されるが、互いに離れている状態では回転が伝達されないようになっている（図９、図１０参照）。
【００５３】
次に、原稿送り装置５の動作について説明する。
【００５４】
この原稿送り装置５では、電源が投入されると、その送出部２１を構成する用紙送出装置１では、次のシャッタに関する初期動作が実行される。この初期動作は、電源投入後においても原稿の読取動作が終了後の時期などにも行われる。
【００５５】
まず、送出ロール３５の駆動軸３６が原稿送り方向に所定の時間だけ回転駆動した後、所定の時間だけ原稿送り方向とは逆の方向に回転駆動する。
【００５６】
これにより、シャッタ６０は、最初に図７等に示すように回転軸３６の原稿送り方向に回転する動力が一方向制限型のトルクリミッタ７０を介して伝達されることで、回転軸３６を支点として、矢印Ｄ２の方向に揺動して退避位置にむけて変位し、その規制作用部６２が接触停止面部７５に接触した時点で停止した状態なる。規制作用部６２が接触停止面部７５に接触したときに、一方向制限型のトルクリミッタ７０が空転する。
【００５７】
その後、シャッタ６０は、回転軸３６の原稿送り方向と逆の方向に回転する動力が一方向制限型のトルクリミッタ７０を介して伝達されることで、回転軸３６を支点として、矢印Ｄ１の方向に揺動して規制位置にむけて変位し、その規制作用部６２が接触停止面部７５との接触で停止した停止位置から所要の角度（例えば１２０〜１７０°）だけ回転軸３６が回転してから停止することで停止した状態になる。その停止した位置がシャッタ６０の規制位置になる（図２、図３等参照）。
【００５８】
このような初期動作により、用紙送出装置１におけるシャッタ６０がその規制位置で停止した状態にされる。また、この初期動作が終了した時点では、回転軸３６及び第二歯車４７が原稿送り方向と逆の方向に所要の角度だけ回転した後に停止するため、第一差分クラッチ８０及び第二差分クラッチ８５はいずれも、図９に示すように、その駆動突起８１，８６と被駆動突起８２，８７とが互いに離れた位置関係になってクラッチが切れた状態になっている。
【００５９】
続いて、原稿送り装置５の使用に当たっては、収容トレイ２０に読み取り対象の複数枚の原稿９を積み重ねた状態で収容する。
【００６０】
この際、用紙送出装置１におけるピックアップロール３０は、図２等に示すように、支持フレーム４０が回転軸３６を支点として自重で矢印Ｃ１の方向に揺動した状態にある関係上、その接触位置の側に変位する状態にあり、実際には給紙トレイの前端部２０ｂの収容面２２に接触した状態になっている。しかし、この用紙送出装置１では、支持フレーム４０が回転軸３６に対して揺動自在に取り付けられているため、ピックアップロール３０が給紙トレイの前端部２０ｂの収容面２２に接触した状態において、そのピックアップロール３０と収容面２２の間に収容すべき原稿９を押し込んで収容するようになっている（図６参照）。
【００６１】
このとき、用紙送出装置１におけるシャッタ６０は、図６に示すように、前記した初期動作により規制位置に変位して停止した状態に保たれている。詳しくは、シャッタ６０の規制作用面部６２の接触面６２ａが、収容トレイ２０に収容される原稿９の繰出し方向先端部９ａをその収容位置を規制するための位置に存在する状態になっている。
【００６２】
そして、ピックアップロール３０及びシャッタ６０が上記したような状態にあるときに、収容トレイ２０に原稿９を収容する。
【００６３】
このとき原稿９は、図６に示すように、その繰出し方向先端部９ａが、収容トレイ前端部２０ｂの収容面２２に接触しているピックアップロール３０を支持フレーム４０の矢印Ｄ２への自由揺動により上方に持ち上げて収容面２２から浮かせた状態にしたうえで、ピックアップロール３０の下方を通過するように押し込まれる。これにより、原稿９は、その収容面２２の上に載せられる。
【００６４】
また、このときの原稿の繰出し方向先端部９ａは、図６に示すように、送出ロール３５の手前側の位置に停止して存在するシャッタ６０の規制作用面部６２に接触して停止させられる。これにより、収容された原稿９は、その繰出し方向先端部９ａがその収容位置で正確に規制されることとなる。
【００６５】
次いで、収容トレイ２０に原稿９が収容されると、図示しない検知センサにより、その存在が確認される。これにより、原稿送り装置５の原稿搬送と原稿読取装置８の原稿読取が可能な状態になる。この状態になった後に、図示しない制御装置から原稿９の読取開始の指示命令を受信すると、用紙送出装置１における送出ロール３５の回転軸３６が原稿送り方向に回転し始めて、原稿９の送り出しを開始する。
【００６６】
このとき、シャッタ６０は、回転軸３６が原稿送り方向に回転し始めると、図７や図８に示すように、その回転の動力が一方向制限型のトルクリミッタ７０を介して伝達されることで、回転軸３６を支点として、矢印Ｄ２の方向に揺動して退避位置にむけて変位し、その規制作用部６２が接触停止面部７５に接触した時点で停止した状態なる。この実施の形態におけるシャッタ６０は、退避位置に変位したときに、その規制作用部６２が送出ロール３５とパッド部材３８の接触部よりも原稿搬送方向下流側に空間に存在するように設定されている（図７参照）。
【００６７】
このシャッタ６０の矢印Ｄ２方向への揺動による退避位置への変位は、第一及び第二の差分クラッチ８０，８５の介在により送出ロール３５及び繰出しロール３０の原稿送り方向への回転開始に先立って行われる。
【００６８】
つまり、第一及び第二の差分クラッチ８０，８５は、前述した初期動作の終了時点でクラッチが切れた状態になっているため（図９参照）、回転軸３６が原稿送り方向に回転始動した時点では、その回転動力がトルクリミッタ７０を介してシャッタ６０にのみ伝達されるが、送出ロール３５及び繰出しロール３０には伝達されないためである。具体的には、図１０に示すように、各差分クラッチ８０，８５の駆動突起８１，８６がその被駆動突起８２，８７と接触する位置に移動するまでの間は、シャッタ６０のみが揺動し、その駆動突起８１，８６がその被駆動突起８２，８７と接触した以降に送出ロール３５及び繰出しロール３０が原稿送り方向に遅延して回転し始める。
【００６９】
これにより、シャッタ６０が退避位置に変位する前又はその途中の時期に、繰出しロール３０による原稿９の繰り出しや送出ロール３５による原稿の送り出しが開始されてしまい、この結果、例えば、その繰り出された原稿や送り出された原稿がシャッタ６０（の規制作用部６２）に接触して紙詰まりが発生したり、あるいは原稿に折れ目が発生する等の不具合が発生することが防止される。
【００７０】
続いて、第一及び第二の差分クラッチ８０，８５がつながった状態になると（図１０）、回転軸３６の原稿送り方向の回転の動力が各差分クラッチ８０，８５及び歯車伝達機構４５を介して送出ロール３５と繰出しロール３０にそれぞれ伝達される結果、送出ロール３５と繰出しロー３０の双方が原稿送り方向に回転し始める（図７参照）。
【００７１】
これにより、収容トレイ２０においてその最上位にある原稿９が回転する繰出しロール３０により繰出し方向Ｓに繰り出される。用紙送出装置１では、支持フレーム４０に支持されているピックアップロール３０が所要の荷重で最上の原稿９に接触している（乗っている）状態となり、最上の原稿９との間に所要の摩擦抵抗が生じるようになっている。この結果、繰出しロール３０の回転による搬送力（繰出し力）が原稿９に対して伝わる。
【００７２】
ピックアップロール３０により繰り出された原稿９は、送出ロール３５とパッド部材３８の間の接触部にむけて送られる。この際、繰り出される原稿９は、最上位の１枚でなく複数枚が重なり合った状態（重送状態）である場合には、送出ロール３５とパッド部材３８の間において、重送されて下方に位置する原稿９がパッド部材３８により接触部の手前位置で停止させられて最上位の原稿と分離される。これにより、最上の原稿９のみが送出ロール３５の搬送力を受けて接触部を通過するように送られるとともに、原稿搬送路５０の第一搬送路５１にむけて送り出される（図７参照）。
【００７３】
第一搬送路５１に送り出された原稿９は、搬送時期調整ロール対５５により読取タイミングに合わせて読取部８１に送られる（図７参照）。読取部８１では、原稿９に記録されている情報の読み取りが行われる。また、原稿９は、読取部８１を通過するように搬送される。この読取部８１を通過するときの原稿９は、搬送時期調整ロール対５５と排出ロール対５９の少なくとも一方の接触部に挟まれて保持された状態となり、これにより搬送力を受けて搬送される。
【００７４】
読み取りが終了した原稿９は、搬送時期調整ロール対５５の搬送力を受けて読取部８１から原稿搬送路５０の第二搬送路５２を通して排出部２５にむけて搬送される。第二搬送路５２に搬送された原稿９は、最終的に排出ロール対５９の搬送力により排出口３６から排出され、最後に排出部２５に積み重ねられる状態で収容される。
【００７５】
収容トレイ２０に収容されたすべての原稿９の搬送と読取が正常に終了すると、送出部２１の用紙送出装置１においては、給紙トレイ２０上に送出される原稿９がなくなるので、ピックアップロール３０が給紙トレイ２０の収容面２２に接触した状態になる（図２等参照）。またこの際、給紙トレイ２０に原稿９がない状態が図示しない検知センサで検知される。
【００７６】
またこのとき、用紙送出装置１においては、送出ロール３５の回転軸３６が、原稿送り方向への回転を停止した後に、初期動作時の場合と同様に原稿送り方向と逆の方向に所要の角度だけ回転した後に完全に停止する。これにより、シャッタ６０が退避位置から規制位置に変位させられた後にその規制位置で停止した状態にされる。
【００７７】
この用紙送出装置１を適用した原稿送り装置５においては、用紙送出装置１における支持フレーム４０が、自重で揺動するものである。また、用紙送出装置１におけるシャッタ６０が、変位せずに一定の位置に存在する状態にある送出ロール３５の回転軸３６に取り付けられており、その回転軸３６の回転動力を利用して揺動させるようにしている。
【００７８】
このため、支持フレーム４０を揺動させるための駆動機構が不要であり、しかも、シャッタ６０を揺動させるための特別な駆動機構が不要である。この結果、支持フレーム４０のピックアップロール３０を支持する自由端部４０ｂと外装カバー１２との間の空間（間隙）に支持フレーム４０やシャッタ６０の駆動機構を配置する必要がなく、シャッタ６０の取付け構造物を配置する必要もない。また、ピックアップロール３０の下方側であって給紙トレイの前端部２０ｂの下方側の空間にも、シャッタ６０の駆動機構を配置する必要がなく、シャッタ６０そのものを配置する必要もない。
【００７９】
したがって、支持フレーム４０のピックアップロール３０を支持する自由端部４０ｂと外装カバー１２との間の空間と、ピックアップロール３０の下方側であって給紙トレイの前端部２０ｂの下方側の空間については、必要最低限の高さ空間を確保すれば済むため、特に用紙送出装置１における高さ方向の寸法を可及的に小さくして装置の薄型化を図ること（具体的には、図１、図６及び図９に示す部分の高さＨの寸法を小さくすること）が可能になる。その必要最低限の高さ空間とは、例えば、支持フレーム４０の矢印Ｃ２方向に最大限揺動させるための移動空間分や、原稿搬送路５０の第二搬送路５２を配置するための設置空間分などである。
【００８０】
また、この用紙送出装置１の薄型化が可能になる分、その用紙送出装置１を適用する原稿送り装置５の薄型化も可能になる。特に原稿搬送路５０がＵ字形に回って折り返す形状の搬送路であるので（図１参照）、シャッタ６０の揺動する移動空間を確保するために形成する揺動用凹部６５を、その搬送路５０の湾曲状に折り返す部分の広い空間を確保しなければならない部分に設置することが可能となり、この観点からも装置の薄型化に有利になる。
【００８１】
また、この用紙送出装置１では、シャッタ６０がトルクミッタ７０を介して回転軸３６に取り付けられているため、その規制作用部６２に対して原稿の先端部９ａを強く突き当てても位置ずれが発生しにくい。また、シャッタ６０による原稿の繰出し方向先端部の収容位置と搬送ロール３５との離間距離の把握や設定が行いやすい。このため、収容される原稿９をその先端部９ａが正しい収容位置に整然と規制された状態で収容することができ、原稿が斜めの状態で送り出される等の搬送上の不具合が発生するおそれが少なくなる。
【００８２】
この他、支持フレーム４０の強制的な揺動動作がされないので、原稿送り出しにおける動作音が比較的静かになる。
【００８３】
［他の実施の形態］
図１１から図１４は、用紙送出装置１の他の構成例を示すものであり、主に、前記実施の形態における接触停止面部７５とは異なる停止突起としての停止突起７６の例を示している。
【００８４】
この構成例における停止突起７６は、支持フレーム４０の回転軸３６への取付け側端部４０ａに固定した状態で形成されている。この停止突起７６は、送出ロール３５から原稿送り方向下流側（送出ロール３５を挟んで繰出しロール３０が存在する位置とは反対の側）に位置するとともに、シャッタ６０の回転軸３６を支点として揺動する際の軌道上（移動領域内）であって原稿９の搬送に支障のない所望の位置（退避停止位置）に存在する状態で設けられる。停止突起７６は、支持フレーム４０が矢印Ｃ２で示す方向に揺動して退避位置に変位した際に、搬送路形成部材５４の面に衝突することがない状態で設けられる。また、停止突起７６は、退避位置に揺動して変位するシャッタ６０の制止作用部６２が接触して所望の位置に停止させられる接触停止面７６ａが形成されている。
【００８５】
この停止突起７６は、支持フレーム４０と一体に成形して形成される形態のものであっても、あるいは、支持フレーム４０とは別体であって後から支持フレーム４０に取り付ける形態のものであってもよい。また、この停止突起７６を設けるに際して、その専用の設置空間を確保する必要は特にない。
【００８６】
そして、この停止突起７６を有する用紙送出装置１にあっては、原稿送り出し時にシャッタ６０が前述したように回転軸３６を支点として矢印Ｄ２で示す方向に揺動して退避位置にむけて変位すると、図１３や図１４に示すように、シャッタ６０の制止作用部６２が停止突起７６の接触停止面７６ａに接触する。これにより、シャッタ６０は、それ以上の揺動が阻止され、退避位置に停止させられた状態に保たれる。
【００８７】
またこのとき、シャッタ６０は、回転軸３６の動力をトルクリミッタ７０を介して受け続けているため、停止突起７６を押し続ける状態となり、停止突起７６が支持フレーム４０を矢印Ｃ１で示す方向に揺動させるように作用することになる。これにより、原稿送出時にある繰出しロール３０は、支持フレーム４０の自重によって原稿８に押されることに加えて、停止突起７６の支持フレーム４０を揺動させる作用を受けて更に原稿９に押された状態になるので、最上の原稿９面との接触圧が上がり、この結果、安定した原稿の送出が可能になる。
【００８８】
ちなみに、この停止突起７６では、前記実施の形態における接触停止面部７５のようにシャッタ６０の矢印Ｄ２の方向への揺動作用により外装カバー１２に外力（持ち上げてカバーを開く方向Ｂ１の力）を及ぼすことがない。このため、例えば、閉じたときの外装カバー１２と本体１０との結合（係合）力を強くする必要がなくなる（弱めにすることも可能になる）。
【００８９】
前記実施の形態では、シャッタ６０を１つ設けた場合を例示したが、回転軸３６に対して複数のシャッタを、トルクリミッタを介してそれぞれ設けることもできる。
【００９０】
また、トルクリミッタ７０としては、回転軸３６を原稿送り方向とは逆の方向に回転させた際にもシャッタ６０を停止部材（前述した揺動用凹部６５の一面６５ａ：図２参照）等に接触させて停止させるように構成する場合には、そのときのシャッタの状態により所望の負荷をかけた状態で回転の伝達を空転により遮断する、いわゆる双方向制限型のトルクリミッタを使用することも可能である。
【００９１】
この他、前記実施の形態では、用紙送出装置１を原稿送り装置５の原稿送出装置として構成した場合を示したが、この用紙送出装置１は、他の装置にも適用することが可能であり、例えば、画像形成に使用する用紙を収容トレイに積み重ねる状態で収容してから１枚ずつ送り出して給紙する装置（給紙装置）における用紙送出装置として適用することもできる。
【符号の説明】
【００９２】
１  …用紙送出装置
５  …原稿送り装置
９  …原稿（用紙）
９ａ…繰出し方向先端部
１２…外装カバー（覆い部材）
２０…収容トレイ（収容部）
２２…収容面
３０…ピックアップロール（繰出しロール）
３５…送出ロール
３６…回転軸（送出ロールの回転軸）
４０…支持フレーム（支持部材）
５０…原稿搬送路
６０…シャッタ（規制部材）
７０…一方向制限型のトルクリミッタ（一方向制限型の回転伝達部材）
７５…接触停止面部（停止部材）
７６…停止突起（停止部材）
８０，８５…差分クラッチ
Ｓ  …繰出し方向
Ｃ１，Ｃ２…支持フレームの揺動する方向
Ｄ１，Ｄ２…シャッタの揺動する方向
【図１】
2010228848.tif 000003
【図２】
2010228848.tif 000004
【図３】
2010228848.tif 000005
【図４】
2010228848.tif 000006
【図５】
2010228848.tif 000007
【図６】
2010228848.tif 000008
【図７】
2010228848.tif 000009
【図８】
2010228848.tif 000010
【図９】
2010228848.tif 000011
【図１０】
2010228848.tif 000012
【図１１】
2010228848.tif 000013
【図１２】
2010228848.tif 000014
【図１３】
2010228848.tif 000015
【図１４】
2010228848.tif 000016